(57)【要約】【課題】横方向および斜め後方からの光の顔面への入射を遮断し、サングラス等のつると干渉せず、こめかみを圧迫しない庇を有する帽子を提供することである。【解決手段】クラウン１０と、クラウン１０の開口前方周縁に内周縁が連結される庇２０とからなる帽子１において、庇２０の周縁は、庇２０の基端となる内周縁と、庇２０の先端となる外周縁と、内周縁両端と外周縁両端とをつなぐ側周縁とからなり、庇２０の外周縁両端を庇２０の内周縁両端よりもクラウン１０の後方側に位置させ、庇２０の外周縁両端間の距離Ｄをクラウン１０の径Ｒよりも大としたのである。【選択図】図１
0003112032.tif 000002
【実用新案登録請求の範囲】
【請求項１】
クラウンと、クラウンの開口前方周縁に内周縁が連結される庇とからなる帽子において、庇の周縁は、庇の基端となる内周縁と、庇の先端となる外周縁と、内周縁両端と外周縁両端とをつなぐ側辺を形成する側周縁とからなり、前記庇の外周縁両端を庇の内周縁両端よりもクラウンの外側後方に位置させたことを特徴とする帽子。
【請求項２】
前記庇の外周縁両端間の距離をクラウンの径よりも大とした請求項１に記載の帽子。
【考案の詳細な説明】
【技術分野】
【０００１】
この考案は、キャップ、サンバイザー等の帽子に関し、より詳しくは庇に特徴のある帽子に関する。
【背景技術】
【０００２】
図４（ａ）、(ｂ)に示すように、従来の庇１１０を有する帽子１００は、庇１１０内周縁１１１とクラウン１２０の前方開口１２１周縁とが連結され、庇１１０の外周縁両端部間の距離Ｄ´はクラウンの径Ｒ´とほぼ同じかやや小さい。
【０００３】
このような帽子１００は、庇１１０の横幅寸法たる距離Ｄ´が小さいため横方向および斜め後方からの光の顔面への入射を遮ることができず眩しかった。また、庇１１０の外周縁１１２は滑らかなカーブを描き、クラウン１２０の開口１２１周縁とは連続的に連結されており、庇１１０がこめかみ部分を覆うため、サングラスや眼鏡をかけている場合につるに庇１１０が当たりサングラス等がずれるなどして不便であった。また、庇１１０を折り曲げ大きく湾曲させて帽子をかぶった場合にこめかみを圧迫し装着感が悪かった。
【０００４】
上記した欠点の内、こめかみへの圧迫感およびサングラス等のつるへの庇の干渉を解消するため、図４(ｂ)の鎖線で示すように庇１１０の両端部を切り欠いたものも見られるが、庇の両端側から光が射し込むため眩しさが増加してしまう問題があった。
【考案の開示】
【考案が解決しようとする課題】
【０００５】
そこでこの考案の解決すべき課題は、横方向および斜め後方からの顔面への入射光を遮断しつつ、サングラス等のつると干渉せず、こめかみを圧迫しない庇を有する帽子を提供することにある。
【課題を解決するための手段】
【０００６】
上記した課題を解決するためこの考案は、クラウンと、クラウンの開口前方周縁に内周縁が連結される庇とからなる帽子において、庇の周縁は、庇の基端となる内周縁と、庇の先端となる外周縁と、内周縁両端と外周縁両端とをつなぐ側辺を形成する側周縁とからなり、前記庇の外周縁両端を庇の内周縁両端よりもクラウンの外側後方に位置させたのである。
【０００７】
また、庇の外周縁両端間の距離はクラウンの径よりも大とするのが好ましい。ここで、庇の外周縁両端間の距離とは、庇を湾曲させない状態での両端部間の距離をいう。同様にクラウンの径とは、クラウン開口を真円形に保持した状態での径をいう。
【考案の効果】
【０００８】
庇の外周縁両端を庇の内周縁両端よりもクラウンの外側後方に位置させることで、庇の側周縁とクラウンの開口周縁とが鋭角を形成するため、庇のこめかみに対応する部分が空隙となる。そのため、庇とサングラス等のつるが干渉することがなく、こめかみが圧迫されることもない。
【０００９】
庇の外周縁両端間の距離をクラウンの径よりも大きくすることで、庇の横幅を大きく取ることができ、横方向および斜め後方からの光の顔面への入射を遮断され、眩しさが軽減される。
【考案を実施するための最良の形態】
【００１０】
以下図面を参照しつつ、この考案にかかるサンバイザー１の実施の形態について説明する。図１（ａ）、(ｂ)のようにサンバイザー１は、頭部側周を覆う幅広リング状のクラウン１０と、人間の顔面に入射する光を遮断する庇２０とからなる。
【００１１】
なお、以下サンバイザー１の場合について説明するが、この考案の講じた解決手段はキャップ、スポーツバイザー、クリップバイザー、ジョッキー等の他の帽子にも適用されることは勿論である。したがって、例えばキャップの場合を考えるには、クラウン１０はドーム型の形状として、以下読み替えるものとする。
【００１２】
図示のように、クラウン１０は幅広帯状部材の両端同士を後方において面ファスナで連結してリング状に形成しており、下面全面が開口１１となっている。クラウン１０の径Ｒは、被る人間の頭の寸法に合わせて適宜定められる。庇２０は、図１(ｂ)のように、その最大横幅寸法である距離Ｄがクラウン１０の径Ｒより大きい。クラウン１０は、頭にフィットするように柔軟性のある素材よりなる。例えば、ウール、綿等の編み物、織物である。クラウン１０の前面には後述するような庇２０の被覆体２０ｂが縫い付けられるなどして固定されている。
【００１３】
図１（ａ）、(ｂ)および図２（ａ）、(ｂ)のように、庇２０は三日月形の両端部を若干切り欠いたような形状であり、平面視ほぼ同形の芯体２０ａと被覆体２０ｂよりなり、芯体２０ａが被覆体２０ｂ内に収納されている。芯体２０ａは、庇２０を好みに応じて適宜湾曲させて用いることができるように、可撓性でかつある程度の保形性を有するもの、例えば半硬質のプラスチックよりなる。被覆体２０ｂは、芯体２０ａの変形に応じてフィットさせるため、柔軟性および伸縮性を有するもの、例えばウール、綿等の編み物、織物よりなる。
【００１４】
被覆体２０ｂは、その円弧状の内周縁２１ｂがクラウン１０の前方開口１１周縁に縫い付けるなどして固定され庇２０の基端となる。外周縁２２ｂも同様にほぼ円弧状であり、内周縁２１ｂをクラウン１０に固定した場合には、クラウン１０の前方に突出し、庇２０の先端となる。内周縁２１ｂ両端と、外周縁２２ｂ両端間は側周縁２３ｂにより連結され、図示のように、外周縁２２ｂ両端は内周縁２１ｂ両端よりもクラウン１０の後方側に位置するため、側周縁２３ｂとクラウン１０の開口１１周縁とは鋭角を形成し、こめかみにあたる部分は空隙となっている。
【００１５】
被覆体２０ｂは、外周縁２２ｂおよび側周縁２３ｂが縫い付けられるなどして閉塞され、内周縁２１ｂが開口した袋状体である。庇２０を製造する際には、芯体２０ａは被覆体２０ｂの内周縁２１ｂ開口から内部に挿入される。
【００１６】
この際に、芯体２０ａの最大横幅寸法Ｄは被覆体２０ｂの内周縁２１ｂ開口の横幅寸法ｄよりも大きく、側周縁２３ｂ近辺開口より後方に位置するため、このままでは芯体２０ａを丸めるなどして被覆体２０ｂ内に挿入しようとしても、側周縁２３ｂ近辺で芯体２０ａが引っかかり、芯体２０ａを被覆体２０ｂ内にぴったりとフィットした状態で挿入することが困難であり、どうしても側周縁２３ｂ近辺に空隙ができてしまう。
【００１７】
そのため、この実施形態においては、挿入の際には、まず図３（ａ）のように、側周縁２３ｂ周辺の一方または双方に蒸気３０を当てることで被覆体２０ｂの素材を膨張させ、側周縁２３ｂ周辺を広げる。そして図３(ｂ)のように、芯体２０ａを撓ませ丸めるなどして、その一端を被覆体２０ｂの突端部２３ｂに挿入し、次いで他端を被覆体２０ｂの膨張させ、広がった突端部２３ｂに挿入する。このようにすると、引っかかることなく容易に芯体２０ａを挿入することができる。その後自然乾燥させるなどすると被覆体２０ｂが収縮することにより、芯体２０ａは被覆体２０ｂ内に過不足なく収まり空隙は形成されない。なおこの際、当然膨張率の高い素材のほうが挿入が容易であり、収縮率の高い素材のほうが空隙が形成されにくいため、ウール、綿等の編み物、織物が最適である。
【００１８】
このようにして形成された帽子１は、庇２０の外周縁２２ｂ両端部間の距離Ｄがクラウン１０の径Ｒよりも大きいため、横方向および斜め後方からの光の顔面への入射を遮断され、眩しさが軽減される。また、庇２０の外周縁２２ｂ両端を内周縁２１ｂ両端よりもクラウンの外側後方に位置させたため、庇２０のこめかみに対応する部分が空隙になっている。そのため、庇２０とサングラス等のつるが干渉することがなく、こめかみが圧迫されることもない。
【図面の簡単な説明】
【００１９】
【図１】考案にかかる帽子の（ａ）は斜視図、(ｂ)は平面図
【図２】（ａ）は被覆体、(ｂ)は芯体の図
【図３】（ａ）は被覆体に蒸気を当てた図、(ｂ)は被覆体に芯体を挿入した図
【図４】従来の帽子の（ａ）は斜視図、(ｂ)は平面図
【符号の説明】
【００２０】
１  考案にかかる帽子（サンバイザー）
１０  クラウン
１１  開口
２０  庇
２０ａ  芯体
２０ｂ  被覆体
２１ｂ  内周縁
２２ｂ  外周縁
２３ｂ  側周縁（突端部）
１００  従来の帽子
１１０  庇
１１１  内周縁
１１２  外周縁
１２０  クラウン
１２１  開口
【図１】
0003112032.tif 000003
【図２】
0003112032.tif 000004
【図３】
0003112032.tif 000005
【図４】
0003112032.tif 000006